(57)【要約】【課題】一連の操作をジョグダイヤル等の従来の操作方式にて操作を行う場合、素早く操作してもゆっくり操作しても、一定の回転量ごとに応じて１つ１つの処理が実行されるために、実際に行っている操作内容と対話画面との間に感覚のずれが発生する場合があり、必ずしもユーザの操作感覚と合致しない。【解決手段】選択項目数や総項目数などの対話画面内容とユーザの操作回転速度に基づいて、操作判定を行うための回転操作しきい値を変化させることで、ユーザの操作感覚と対話画面内の動作内容を一致させ、ユーザの操作性を向上させる。【選択図】図６
2005303581.tif 000002
【特許請求の範囲】
【請求項１】
操作装置と、処理装置とからなる操作システムであって、
前記操作装置は、所定形状の操作部材と、
操作部材上の任意の位置をタッチ又は押下げする第１操作、及び、操作部材上をなぞる又は操作部材を回転させる第２操作をユーザから受け付ける操作手段と、
前記操作手段により操作位置を示す位置情報を処理装置に出力する出力手段とを備え、
前記処理装置は、操作装置から出力される位置情報を受信する受信手段と、
前記受信手段が受信した位置情報及び、前記受信手段が前記位置情報を受信した時間情報を格納する格納手段と、
前記格納手段に格納された位置情報又は時間情報のうち少なくとも１つの情報に基づき操作情報を算出する算出手段と、
前記算出手段が算出した操作情報に基づいて前記受信手段から受信した位置情報を方向情報として解釈するか、回転情報として解釈するかの判定を行う判定手段と、
第１操作及び第２操作のそれぞれをどの対話画面で有効とするかの割り付けが記述された操作テーブルと、
前記判定手段の判定結果に基づいて前記操作テーブルに記述された処理を実行する処理手段と、
前記処理手段が処理した内容を複数の対話画面へ表示する表示手段とを備えることを特徴とする操作システム。
【請求項２】
前記操作情報は、
ユーザが操作部材上をなぞる又は操作部材を回転する移動量又は操作速度又は操作加速度であることを特徴とする請求項１記載の操作システム。
【請求項３】
前記処理装置は更に、前記算出手段が算出した操作情報に基づいて、前記判定手段が前記受信手段から受信した位置情報を方向情報か回転情報のいずれかに判定するための判定しきい値を設定する判定しきい値設定手段を備え、
前記算出手段により算出された操作情報が前記判定しきい値を下回った場合には、前記判定手段が前記位置情報を方向情報として解釈し、
前記算出手段により算出された操作情報が前記判定しきい値を上回った場合には、前記判定手段が前記位置情報を回転情報として解釈することを特徴とする請求項１または請求項２記載の操作システム。
【請求項４】
前記処理装置は、前記判定手段が前記受信手段から受信した位置情報を回転情報と判定した際に、前記回転情報を複数ある回転処理のいずれかに判定するための回転しきい値を設定する回転操作しきい値設定手段を備え、
前記処理手段は、前記判定手段が前記受信手段から受信した位置情報を回転情報と判定した際に、前記回転操作しきい値設定手段により設定した回転操作しきい値に基づき前記回転情報を複数ある回転処理のいずれかに決定し、前記操作テーブルに記述された回転処理を実行する回転処理手段を備えることを特徴とする請求項１から請求項３のいずれか１項に記載の操作システム。
【請求項５】
操作装置と、処理装置とからなる操作システムであって、
前記操作装置は、所定形状の操作部材と、
操作部材上をなぞる又は操作部材を回転させる操作をユーザから受け付ける操作手段と、
前記操作手段により操作位置を示す位置情報を処理装置に出力する出力手段とを備え、
前記処理装置は、操作装置から出力される位置情報を受信する受信手段と、
前記受信手段が受信した位置情報及び、前記受信手段が前記位置情報を受信した時間情報を格納する格納手段と、
前記格納手段に格納された位置情報又は時間情報のうち少なくとも１つの情報に基づき操作情報を算出する算出手段と、
前記算出手段が算出した操作情報に基づいて前記位置情報を複数ある回転処理のいずれかに判定するための回転しきい値を設定する回転操作しきい値設定手段と、
前記操作手段によりユーザの行った操作を、どの対話画面で有効とするかの割り付けが記述された操作テーブルと、
前記回転操作しきい値設定手段により設定した回転操作しきい値に基づき、前記位置情報を複数ある回転処理のいずれかに決定し、前記操作テーブルに記述された回転処理を実行する回転処理手段と、
前記回転処理手段が処理した内容を複数の対話画面へ表示する表示手段とを備えることを特徴とする操作システム。
【請求項６】
前記回転操作しきい値設定手段は、前記算出手段が算出した操作情報、又は、前記対話画面に１つ以上の連続して表示されている項目数又はユーザが選択可能な総項目数に基づいて、前記操作情報を複数ある回転処理のいずれかに判定するための回転しきい値を設定することを特徴とする請求項４または５記載の操作システム。
【請求項７】
操作装置と、処理装置とからなる操作システムであって、
前記操作装置は、所定形状の操作部材と、
操作部材上の任意の位置をタッチ又は押下げした操作位置を示す位置情報を処理装置に出力する出力手段とを備え、
前記処理装置は、操作装置から出力される位置情報を受信する受信手段と、
対話画面ごとに前記受信手段から受信した位置情報を複数の操作領域のいずれかに判定するためのしきい値を設定する操作領域しきい値設定手段と、
前記操作領域しきい値設定手段により設定したしきい値に基づいて前記受信手段から受信した位置情報がどの操作領域に存在するかを判定する操作領域判定手段と、
前記操作領域ごとに、どの処理を行うかの割り付けが対話画面ごとに記述された操作テーブルと、
前記操作領域判定手段で判定された操作領域に基づいて前記操作テーブルに記述された処理を行う処理手段と、
前記処理手段が処理した内容を対話画面へ表示する表示手段とを備えることを特徴とする操作システム。
【請求項８】
操作装置と、処理装置とからなる操作システムであって、
前記操作装置は、操作部材の形状が円状であり、
操作部材上の任意の位置をタッチ又は押下げした操作位置を示す位置情報を処理装置に出力する出力手段とを備え、
前記位置情報は、円周上の基準点からの角度で表現され、
前記処理装置は、操作装置から出力される位置情報を受信する受信手段と、
対話画面ごとに前記受信手段から受信した位置情報を複数の操作領域のいずれかに判定するためのしきい値を設定する操作領域しきい値設定手段と、
前記操作領域しきい値設定手段により設定したしきい値に基づいて前記受信手段から受信した位置情報がどの操作領域に存在するかを判定する操作領域判定手段と、
前記操作領域ごとに、どの処理を行うかの割り付けが対話画面ごとに記述された操作テーブルと、
前記操作領域判定手段で判定された操作領域に基づいて前記操作テーブルに記述された処理を行う処理手段と、
前記処理手段が処理した内容を対話画面へ表示する表示手段とを備えることを特徴とする操作システム。
【請求項９】
前記操作領域しきい値設定手段は、対話画面ごとに前記受信手段から受信した位置情報を複数の操作領域のいずれかに判定するためのしきい値をユーザごとに設定することを特徴とする請求項７または請求項８に記載の操作システム。
【請求項１０】
前記操作領域しきい値設定手段は更に、前記操作装置からユーザの身体的特性に起因したユーザ固有の操作を検知する検知手段と、
前記検知手段が検知したユーザ操作に基づき、対話画面ごとに前記受信手段から受信した位置情報を複数の操作領域のいずれかに判定するためのしきい値を設定する
ことを特徴とする請求項７から請求項９のいずれか１項に記載の操作システム。
【請求項１１】
前記操作領域しきい値設定手段は、上下左右方向の取り得る操作領域よりも上下左右方向以外の取り得る操作領域を大きくした操作テーブルに基づき、対話画面ごとに前記受信手段から受信した位置情報を複数の操作領域のいずれかに判定するためのしきい値を設定することを特徴とする請求項７から請求項１０のいずれか１項に記載の操作システム。
【発明の詳細な説明】
【技術分野】
【０００１】
本発明は、録画装置、ディジタルテレビ、ＳＴＢといった処理装置と、リモコン等の操作装置からなるシステムに関し、対話画面での対話処理を行う技術に関する。
【背景技術】
【０００２】
近年、ディジタルテレビやＤＶＤ等の録画機が普及するにつれ、大量の番組コンテンツを蓄積することが容易にできるようになってきた。このように蓄積された大量のコンテンツの中から目的のコンテンツを選択・検索するためには、対話画面における一連のコンテンツ群をスムーズに操作することのできる操作性のよいインターフェースが必要となってくる。しかし、従来のボタン操作では、目的のコンテンツを選択するまでに何度もボタン押下げ操作をしなければならず、ユーザに負担を強いることになる。この問題を解決するために、一連のコンテンツを操作するのに適したジョグシャトルやジョグダイヤルなどの入力装置がある。これらは、主にビデオレコーダのリモコンに多く具備され、コンテンツの再生／早送り等の速度指定や動画編集等を行うのに用いられている。なお、ジョグダイヤルに関しては、特許文献１に記載された先行技術がある。
【特許文献１】特開２００２−０７３６２５号公報
【発明の開示】
【発明が解決しようとする課題】
【０００３】
しかしながらユーザが対話処理を快適に行えるかどうかは、対話画面における選択項目の配列・項目数や、ユーザが選択項目に対して行おうとする処理によって変わる。例えば、ジョグダイヤルにより所定の番組の特定シーンまでスキップしたい場合、まずユーザが特定シーンの前後まである程度素早く回転させ、特定シーンの前後までくると逆に微小調整のためにゆっくり回転させるといった操作方法となるのが一般的である。しかし、このような一連の操作をジョグダイヤル等の従来方式にて行う場合、素早く操作してもゆっくり操作しても、一定の回転量ごとに応じて１つ１つのシーンが変化していくために、実際に行っている操作内容と対話画面との間に感覚のずれが発生する場合があり、必ずしもユーザの操作感覚と合致しない。また、対話画面内の項目数や録画コンテンツ自体の時間長が変化しても、一定の回転量に応じて項目の選択がなされるために、項目数が多ければ多いほど、また録画コンテンツの時間長が長ければ長いほど、操作回数及び操作時間が増加し、ユーザに負担を強いることになる。
【０００４】
本発明の目的は、ユーザが選択可能な項目数や総項目数などの対話画面内容とユーザの操作速度又は操作加速度に基づいて、操作判定を行う回転操作しきい値を変化させることで、ユーザの操作感覚と対話画面内の動作内容を一致させ、ユーザの操作性を向上させることである。
【課題を解決するための手段】
【０００５】
上記課題を解決するために、操作装置と、処理装置とからなる操作システムであって、前記操作装置は、所定形状の操作部材と、操作部材上の任意の位置をタッチ又は押下げする第１操作、及び、操作部材上をなぞる又は操作部材を回転させる第２操作をユーザから受け付ける操作手段と、前記操作手段により操作位置を示す位置情報を処理装置に出力する出力手段とを備え、前記処理装置は、操作装置から出力される位置情報を受信する受信手段と、前記受信手段が受信した位置情報及び、前記受信手段が前記位置情報を受信した時間情報を格納する格納手段と、前記格納手段に格納された位置情報又は時間情報のうち少なくとも１つの情報に基づき操作情報を算出する算出手段と、前記算出手段が算出した操作情報に基づき前記受信手段から受信した位置情報を方向情報として解釈するか、回転情報として解釈するかの判定を行う判定手段と、第１操作、及び、第２操作のそれぞれをどの対話画面で有効とするかの割り付けが記述された操作テーブルと、前記判定手段の判定結果に基づいて、前記操作テーブルに記述された処理を実行する処理手段と、前記処理手段が処理した内容を複数の対話画面へ表示する表示手段とを備えるものである。
【発明の効果】
【０００６】
本発明に係る操作システムは、上述の構成を備えることにより、所定形状の操作部材さえ具備していれば、操作速度や操作加速度などの操作情報をもとに、移動量や回転量等の回転情報をパラメータにした処理や、方向情報をパラメータにした処理を実行することができる。これにより、対話画面の構成に応じたユーザインターフェースのよいシステムを実現することができる。
【０００７】
また前記処理装置は更に、前記算出手段が算出した操作情報に基づいて、前記判定手段が前記受信手段から受信した位置情報を方向情報か回転情報のいずれかに判定するための判定しきい値を設定する判定しきい値設定手段を備え、前記算出手段により算出された操作情報が前記判定しきい値を下回った場合には、前記判定手段が前記位置情報を方向情報として解釈し、前記算出手段により算出された操作情報が前記判定しきい値を上回った場合には、前記判定手段が前記位置情報を回転情報として解釈してもよい。これにより、操作速度や操作加速度などの操作情報をもとに、回転情報による操作であるのか、方向情報による操作であるのかを判定することができ、対話画面の構成に応じたユーザインターフェースのよいシステムを実現することができる。
【０００８】
また前記処理装置は、前記判定手段が前記受信手段から受信した位置情報を回転情報と判定した際に、前記回転情報を複数ある回転処理のいずれかに判定するための回転しきい値を設定する回転操作しきい値設定手段を備え、前記処理手段は、前記判定手段が前記受信手段から受信した位置情報を回転情報と判定した際に、前記回転操作しきい値設定手段により設定した回転操作しきい値に基づき前記回転情報を複数ある回転処理のいずれかに決定し、前記操作テーブルに記述された回転処理を実行する回転処理手段を備えていてもよい。これにより、回転情報による操作である場合、ユーザは回転操作しきい値で判別された処理に基づいて、対話画面の構成に応じたユーザインターフェースのよいシステムを実現することができる。
【０００９】
また回転操作しきい値設定手段は、前記算出手段が算出した操作情報、又は、前記対話画面に１つ以上の連続して表示されている項目数又はユーザが選択可能な総項目数に基づいて、前記操作情報を複数ある回転処理のいずれかに判定するための回転しきい値を設定してもよい。これにより、ユーザが選択可能な項目数や総項目数などの対話画面内容とユーザの操作速度又は操作加速度に基づいて、操作判定を行う回転操作しきい値を変化させることで、ユーザの操作感覚と対話画面内の動作内容を一致させ、ユーザにより操作性のよいインターフェースを実現することができる。
【００１０】
また操作システムは、操作装置と処理装置とからなり、前記操作装置は所定形状の操作部材と、操作部材上の任意の位置をタッチ又は押下げした操作位置を示す位置情報を処理装置に出力する出力手段とを備え、前記処理装置は、操作装置から出力される位置情報を受信する受信手段と、対話画面ごとに前記受信手段から受信した位置情報を複数の操作領域のいずれかに判定するためのしきい値を設定する操作領域しきい値設定手段と、前記操作領域しきい値設定手段により設定したしきい値に基づいて、前記受信手段から受信した位置情報がどの操作領域に存在するかを判定する操作領域判定手段と、前記操作領域ごとに、どの処理を行うかの割り付けが対話画面ごとに記述された操作テーブルと、前記操作領域判定手段で判定された操作領域に基づいて、前記操作テーブルに記述された処理を行う処理手段と、前記処理手段が処理した内容を対話画面へ表示する表示手段とを備えてもよい。これにより、ユーザは入力デバイスに対し、その領域ごとに異なる大きさのしきい値を分割・設定することで、ユーザにより操作性のよいインターフェースを実現することができる。
【００１１】
また操作領域しきい値設定手段は、対話画面ごとに前記受信手段から受信した位置情報を複数の操作領域のいずれかに判定するためのしきい値をユーザごとに設定してもよい。これにより、ユーザが行う操作をユーザの身体的特性（指の大きさ、爪の長さ等）に応じた操作領域に分割・設定することで、ユーザにより操作性のよいインターフェースを実現することができる。
【００１２】
また操作領域しきい値設定手段は更に、前記操作装置からユーザの身体的特性に起因したユーザ固有の操作を検知する検知手段と、前記検知手段が検知したユーザ操作に基づき対話画面ごとに前記受信手段から受信した位置情報を複数の操作領域のいずれかに判定するためのしきい値を設定してもよい。これにより、自動的または初期設定としてユーザが入力したユーザ固有の操作パターンを認識し、そのユーザ操作に応じた操作領域に分割・設定することで、ユーザにより操作性のよいインターフェースを実現することができる。
【００１３】
また操作領域しきい値設定手段は、上下左右方向の取り得る操作領域よりも上下左右方向以外の取り得る操作領域を大きくした操作テーブルに基づき対話画面ごとに前記受信手段から受信した位置情報を複数の操作領域のいずれかに判定するためのしきい値を設定してもよい。これにより、例えば８方向操作において、各方向への操作をユーザが選択しやすい操作領域に分割・設定することで、ユーザにより操作性のよいインターフェースを実現することができる。
【発明を実施するための最良の形態】
【００１４】
以下、本発明に係る操作システムの実施の形態について説明する。
【００１５】
（実施の形態１）
＜構成＞
図１は、本発明に係る操作システムを示す図である。本図に示すようにシステムは操作装置たるリモコン１、処理装置たるディジタルＴＶ１００から構成される。ユーザは、ディジタルＴＶ１００に表示される対話画面を見ながら、リモコン１を操作してディジタルＴＶ１００の録画予約操作、チャンネル選択、音量調整などの対話処理を行う。
【００１６】
リモコン１は、ユーザからの操作を受け付けて、操作の内容をリモコンコードに変換して送信することによって、ディジタルＴＶ１００に伝達するものである。
【００１７】
ディジタルＴＶ１００は、ディジタル放送を受信して放送番組の表示を行い、さらにはリモコン１によって、録画予約操作、チャンネル選択、音量調整など対話処理を行うための対話画面を表示する。
【００１８】
続いて、リモコン１とディジタルＴＶ１００の構成についてそれぞれ説明を行う。
【００１９】
最初にリモコン１について図２、図３を用いて説明する。図２はリモコン１の概観を示す図である。図２において注目すべきは、円盤状の操作部材である入力デバイス２をリモコン１に設けている点である。図３は、リモコン１のブロック構成図である。
【００２０】
図３に示すようにリモコン１は、大きく操作手段２０１と出力手段２０２から構成されている。操作手段２０１は、入力デバイス２、角度−座標変換部３、リモコンコード生成部４から構成される。
【００２１】
入力デバイス２は、ガイド部（図中の黒いリングの部分）に対する操作を受け付ける。入力デバイス２が受け付ける操作には、ガイド部の任意の点をタッチ又は押下げすることでなされる方向操作（第１操作）、ガイド部をなぞる又は回転することでなされる回転操作（第２操作）、これら（第１操作および第２操作）を組み合わせた様々な操作がある。これらの操作がユーザになされると、入力デバイス２は位置情報を出力する。ここで、位置情報とは角度情報のことであり、この角度情報は、操作部材上側を基準とした時計回りの角度で表現される。そして、ここで得られた角度情報を角度−座標変換部３へ受け渡す。
【００２２】
角度―座標変換部３は、入力デバイス２から取得した角度情報に基づき、その角度情報に該当する座標情報を算出し、ここで得られた座標情報をリモコンコード生成部４へ受け渡す。
【００２３】
リモコンコード生成部４は、入力デバイス２と角度−座標変換部３から取得した角度情報と座標情報に基づいて、ディジタルＴＶ１００をリモコン制御するためのリモコンコードを生成し、出力手段２０２へ受け渡す。ここでリモコンコードは、ＳＴＸ、制御コード、ＥＴＸ等から構成されており、制御コードはメーカコード、パリティ、操作対象となる機器を識別するための機器コード、そして入力デバイス２と角度−座標変換部３とで得られた角度情報と座標情報から構成されるものである。
【００２４】
出力手段２０２は、リモコンコード生成部４で生成されたリモコンコードを赤外線によりディジタルＴＶ１００へ送信する。
【００２５】
図４は、本発明に係るディジタルＴＶ１００のブロック構成図である。図４に示すようにディジタルＴＶは、受信手段３０１と格納手段３０２と算出手段３０３と判定手段３０４と操作テーブル３０５と処理手段３０６と表示手段３０７から構成されている。リモコン１から位置情報を受信した受信手段３０１から、位置情報、時間情報を格納手段３０２へ格納する。格納した位置情報、時間情報より、操作情報を算出手段３０３にて算出する。算出した操作情報をもとに、受信手段３０１から受信した位置情報が方向情報か、回転情報かの判定を判定手段３０４にて行い、前記判定手段３０４により判定した結果に応じて、操作テーブル３０５に記述されている処理を処理手段３０６にて処理を行い、その結果を対話画面である表示手段３０７へ表示する。
【００２６】
図５は、図４の処理装置において、判定手段３０４にて判定を行う前に、更に判定しきい値設定手段３０８及び回転操作しきい値設定手段３０９が追加され、処理手段３０６は位置処理手段３１０及び回転処理手段３１１が詳細に示された構成となっている。判定しきい値設定手段３０８は、算出手段３０３より算出した操作情報の大きさによって、回転情報又は方向情報の判定を行うしきい値が変化する。また、判定手段３０４が回転情報と判定した際に、回転操作しきい値設定手段３０９は算出した操作情報を用いて回転操作しきい値の設定を行い、この回転操作しきい値に基づいて、回転処理手段３１１により回転処理を行う。
【００２７】
図６は、図５のジョグシャトルなどの含む操作装置において、回転処理しか行わない操作システムの構成図である。動作は、図５で示した回転処理操作において判定処理をしない以外は同様の操作で、回転操作しきい値設定手段３０９は算出した操作情報を用いて回転操作しきい値の設定を行い、この回転操作しきい値に基づいて、回転処理手段３１１により回転処理を行う。
【００２８】
＜動作＞
次に、本発明に係る操作システムの動作について操作装置と処理装置とを分けて説明する。まずは、操作システムの操作装置であるリモコン１の動作について、図７で示すフローを用いて説明する。
【００２９】
最初に、入力デバイス２の円周上を指で接触した場合に操作がなされたと判断し、操作を開始する（ステップＳ１）。そして、接触した位置に基づいて角度情報を検出する。（ステップＳ２）。次に、得られた角度情報を角度―座標変換部３へ受け渡し、角度情報から座標情報を算出する（ステップＳ３）。そこで得られた座標情報と角度情報を用いて、リモコンコード生成部４でリモコンコードを生成する（ステップＳ４）。そして生成したリモコンコードを赤外線によって、出力手段２０２から送信する（ステップＳ５）。
【００３０】
以上で操作システムの操作装置であるリモコン１の動作についての説明を終える。続いて、操作システムの処理装置であるディジタルＴＶ１００の動作について、図８で示すフローを用いて説明する。
【００３１】
まず、リモコン１より送信されたリモコンコードを受信手段３０１で受信する。（ステップＳ１１）。そして、受信手段３０１より位置情報を抽出し、格納手段３０２へ格納する（ステップＳ１２）。計時している時間が所定時間を示した際（ステップＳ１３）、格納手段３０２から位置情報を読み出す（ステップＳ１４）。所定時間が経過していない場合は、引き続きリモコンコードの受信を行う。ステップＳ１４により、格納手段３０２から読み出された位置情報が複数であるか否かを判定し（ステップＳ１５）、複数である場合には読み出された位置情報から算出手段３０３にて操作情報の算出を行う（ステップＳ１６）。ここで、操作情報は、前回受信したときからの移動量を示すが、この操作情報は時間あたりの位置の変化量すなわち、操作速度や操作加速度であってもよい。また、操作情報の算出に用いられる位置情報は、所定時間内における最初と最後に受信した情報だけでなく、所定時間内に受信した情報であれば、３つ以上の情報を用いて算出してもよい。また、ステップＳ１５により位置情報が１つの場合には、判定手段３０４において方向操作であると判定する（ステップＳ１９）。そして、ステップＳ１６により算出された操作情報を処理手段３０６へ受け渡し、その情報に基づいて操作方法を判定する（ステップＳ１７）。操作情報が所定の値よりも小さい場合は、回転操作と判定し（ステップＳ１８）、操作情報が所定の値よりも大きい場合は、方向指定操作と判定する（ステップＳ１９）。以上でシステムの処理装置であるディジタルＴＶ１００の動作についての説明を終える。
【００３２】
続いて、判定手段３０４により回転操作と判定した場合の、操作処理のフローを図９に示す。
【００３３】
判定手段３０４により回転操作と判定した場合（ステップＳ２１）、算出手段３０３より、操作情報に基づいて、回転操作しきい値を設定する（ステップＳ２２）。操作情報が回転操作しきい値より大きい場合（ステップＳ２３）、項目移動や拡大・縮小等の処理を実行する（ステップＳ２４）。以上で、判定手段３０４により回転操作と判定した場合の、操作処理のフローの説明を終える。
【００３４】
続いて、本発明に係る操作システムの具体的動作について、まずはチャンネル選局操作を例にして説明する。
【００３５】
続いて、回転操作の場合の回転操作しきい値の設定方法について、図１０で示すフローを用いて説明する。位置情報及び時間間隔に基づき、操作情報が算出される（ステップＳ３１）。この操作情報に基づき、操作情報が所定の値より小さい場合（ステップＳ３２）は、表示画面にある項目数をカウントする。（ステップＳ３３）。この項目数が所定の値より小さい場合、回転操作しきい値は、３６０°を項目数で割った値に設定する（ステップＳ３４）。項目数が所定の値より大きい場合は、回転操作しきい値を回転処理しきい値（α）に設定する。（ステップＳ３５）。一方、操作情報が所定の値より大きい場合は、回転操作しきい値を回転操作しきい値（β）に設定する（ステップＳ３６）。具体的な回転操作しきい値の設定例を図１１の表に示す。操作速度が２０°／１２０ｍｓより大きい場合、すなわち素早く操作している場合は、常に回転操作しきい値を４５°に設定する。操作速度が２０°／１２０ｍｓより小さい場合、すなわちゆっくり操作している場合は、対話画面に表示されている項目数を調べて、その項目数が１８より小さい場合、例えば項目数が６の場合は、回転操作しきい値を３６０°／６＝６０°に設定する。逆に項目数が１８以上場合は、２０°に回転操作しきい値を設定するようにする。なお、回転操作しきい値の切り分け方法はここで示した方法に限るものでなく、ユーザが設定した固定の値あるいはユーザごとに異なる値でもよい。以上で、回転操作の場合の回転操作しきい値の設定方法についての説明を終える。
【００３６】
図１２は、ディジタルテレビチャンネルのインジケータを表している。ここで示してある画面は、円状に並んだ８つのチャンネルの項目から選局を行う例である。ユーザは、自分の選択したいチャンネルに対する位置をタッチ又は押下げする第１操作を用いて、目的のチャンネルを選局することもできるが、円周上に沿って回転又はなぞる第２操作を用いても選択することができる。このチャンネル選局画面に相当する機能テーブルを図１３に示す。図１３は、第２操作に対応する機能テーブル００１が割り付けられている。このときの判定しきい値は、図９のアルゴリズムに基づき、項目数が８であるので、判定しきい値は常に、４５°ずつに設定されている。一方、図１４は、コンテンツ検索画面の例を示す。円周上には、ＡからＺまでの２６の英文字が並んでおり、ユーザは画面中央の表示部に検索を行いたい文字列を円周上から選択し、入力を行う。文字を入力する際には、チャンネル選局の時と同様に、自分の選択したい文字に対する大体の位置を押下げし、その位置から円周上に沿ってなぞる第２操作を行うことで、素早く選択することができる。このコンテンツ検索画面に相当する機能テーブルを図１５に示す。図１５は、第２操作に対応する機能テーブル００２が割り付けられている。このときの回転操作しきい値は、図９のアルゴリズムに基づき、項目数が２６であるので、早くなぞる操作を行った場合は４５°に設定してあるが、ゆっくりなぞる操作を行った場合は２０°に設定されることになる。このように項目数及び角度変化量等の操作情報に応じた回転操作しきい値を用いることで、よりユーザの操作感覚に合致したインターフェースを提供することができる。
【００３７】
（実施の形態２）
実施の形態１では、操作システムにおける処理装置をディジタルテレビとして説明したが、実施の形態２では、ＤＶＤレコーダ等に録画したコンテンツを編集する場合についての実施の形態である。ここでは、ＤＶＤレコーダを用いて説明する。
【００３８】
図１６はＤＶＤレコーダにおける番組録画コンテンツの編集画面を示している。図１６左図は番組録画コンテンツを示し、その右上には操作インジケータが円形状に表示されている。図１６右図はそのインジケータを拡大表示した図である。インジケータの円周長は１つの録画コンテンツにおける録画総時間を示し、インジケータの円周上にはその録画コンテンツがシーンごとに印が付加されている。その印の位置は、円周上の真上部分を番組開始時間とし、録画総時間に対するそのシーンの相対的な時間割合に基づいて決定される。
【００３９】
ユーザは、操作装置に対し、まず見たい番組シーンに相当するおおまかな絶対位置をタッチする第１操作を行うことで、目的の番組シーンが選択され、素早くそのシーンの先頭部分を表示することができる。さらに目的の番組シーンの特定ポイントに移動したい場合は、図８のアルゴリズムに基づいて、目的の番組シーンを選択した後に、ゆっくりと操作部材上をなぞる第２操作を行うことで、１コマ１コマずつシーンを切り替えるコマ送り操作、素早く操作部材をなぞることで、高速再生を行うことができる。
【００４０】
（実施の形態３）
実施の形態１では、ディジタルテレビのチャンネル選局として実施したが、実施の形態３では、ディジタルテレビのメニュー項目を選択する場合についての実施の形態である。
【００４１】
図１７は、ディジタルテレビのメニューを選択する画面を示している。現在選択されている項目がグレイで表示されており、この場合ユーザは入力デバイスを用いて、８方向に操作することができる。図１８（ａ）は、操作部材が長方形である場合の、各方向に対する角度範囲の割り当て例である。また、図１９（ａ）は操作部材が円状である場合の、各方向に対する角度範囲の割り当て例である。例えば、斜線で囲んだ範囲は、右上斜め方向に対する操作領域を示し、点線群で囲んだ範囲は、右方向に対する操作領域である。また、このときの第１操作に対応する機能テーブルは図２０のようになる。ここでは、上下左右斜め方向すべて均等の操作領域で割り当てられている。しかし、ユーザの指の特性を考えた場合、上下左右方向よりも斜め方向は感覚的に押しづらい。図１８（ｂ）及び図１９（ｂ）は、斜め方向の角度範囲を上下左右方向よりも大きくした場合の、各方向に対する角度範囲の割当て例である。また、このときの第１操作に対応する操作領域しきい値テーブルは図２１のようになる。具体的な操作例を図２２に示す。図２２の左図はディジタルテレビのメニューを選択する画面を示しており、右上の部分にインジケータとして、円状にメニューが並んでいるものとする。また、そのインジケータを拡大した図は図２２の右図である。ここでは、８方向に相当するメニューとして、「チャンネル選局」「画面表示」「モード切替」「入力切替」「音量」「音量切替」「ＣＨリターン」「消音」等がある。なお、８つの項目に関しては、これらに限定される必要はなく、また、その配置もユーザが操作しやすいように任意にカスタマイズできるものとする。ここでは、各方向に対する操作領域しきい値テーブルは図２１に示すとおりである。このように斜め方向の操作領域を上下左右方向よりも大きくすることで、よりユーザに操作しやすいインターフェースを提供することができる。なお、本実施の形態では、操作領域しきい値テーブルに対し、固有の操作領域しきい値テーブルとして説明したが、ユーザごとに異なる操作領域しきい値テーブルであってもよい。また、指の大きさや爪の長さ等、ユーザの身体的特性に基づいた操作領域しきい値テーブルであってもよい。
【００４２】
＜補足＞
以上、本発明に係る操作システムについて実施の形態に基づいて説明したが、このような操作システムを部分的に更に変形することもでき、本発明は上述した形態に限られないことは勿論である。即ち、
（１）実施の形態では、ディジタルテレビ、ＤＶＤ録画機を対象として説明を行ったが、これは勿論これらの機器に限定される必要はなく、パソコンやＰＤＡなど、ジョグダイヤルや矢印キーなど複数の操作部材を有している他の民生機器であってもよい。
（２）実施の形態では、円盤状の操作部材である入力デバイスを用いて説明を行ったが、これは勿論この操作部材に限定される必要はなく、操作部材上をなぞる操作による移動量および回転量の入力と、方向情報の入力を受け付けることが可能であればどのような操作部材であってもよい。また、形状に関しても同様に円盤状である必要はなく、上記の入力が行えるのであれば、円弧状、半円状、楕円形、長方形、あるいはピック型など、どのような形状であってもよい。
（３）実施の形態では、通信手段として赤外線を用いて説明を行ったが、これは勿論この形態に限定される必要はなく、Ｂｌｕｅｔｏｏｔｈや無線ＬＡＮなど他の通信形態であってもよい。
（４）実施の形態では、操作装置と処理装置が別々の形態で処理されている形で説明を行っていたが、これは無論この形態に限定されることはなく、操作装置と処理装置がひとつの装置として存在してもよい。
【産業上の利用可能性】
【００４３】
本発明に係る操作システムは、録画装置、ディジタルテレビ、ＳＴＢ等の処理装置と、リモコン等の操作装置からなるシステムに適用することができる。
【図面の簡単な説明】
【００４４】
【図１】リモコン１とディジタルＴＶ１００から構成されるシステムを示す図
【図２】リモコン１の概観を示す図
【図３】リモコン１の構成図を示す図
【図４】ディジタルＴＶの構成図を示す図
【図５】判定手段が回転処理と判定した際に、回転操作しきい値設定を行って、判定を行う操作システムの構成図を示す図
【図６】ジョグシャトルなど回転操作のみの操作システムにおける構成図を示す図
【図７】リモコン１での操作からリモコンコードを送信するまでのフローを示す図
【図８】ディジタルＴＶにおいて、リモコンコードを受信してから対話画面で処理内容を実行するまでのフローを示す図
【図９】判定手段が回転処理と判定した際に、回転処理しきい値を用いて所定の処理を行うフロー図
【図１０】回転処理しきい値の設定を行うフローを示す図
【図１１】判定手段が回転処理と判定した際に、メニュー項目数毎と操作速度の違いにより設定される回転処理しきい値テーブル００１の内容を示す図
【図１２】ディジタルテレビにおいて、チャンネル選局をする場合に表示される対話画面を示す図
【図１３】ディジタルテレビのチャンネル選局における操作テーブル００１の内容を示す図
【図１４】ディジタルテレビにおいて、コンテンツ検索をする場合に表示される対話画面を示す図
【図１５】ディジタルテレビのコンテンツ検索における操作テーブル００２の内容を示す図
【図１６】ＤＶＤレコーダにおいて、動画編集をする場合に表示される対話画面を示す図
【図１７】ディジタルテレビにおいて、メニュー選択をする場合に表示される対話画面を示す図
【図１８】長方形の操作部材に対して、メニュー選択をする場合に割り当てる方向の領域を示す図
【図１９】円形の操作部材に対して、メニュー選択をする場合に割り当てる方向の角度領域を示す図
【図２０】ディジタルテレビのメニュー選択における操作テーブル００３の内容を示す図
【図２１】ディジタルテレビのメニュー選択における操作テーブル００４の内容を示す図
【図２２】ディジタルテレビにおいて、メニュー選択をする場合に表示される対話画面を示す図
【符号の説明】
【００４５】
１    リモコン
２    入力デバイス
３    角度−座標変換部
４    リモコンコード生成部
１００    ディジタルＴＶ
２０１    操作手段
２０２    出力手段
３０１    受信手段
３０２    格納手段
３０３    算出手段
３０４    判定手段
３０５    操作テーブル
３０６    処理手段
３０７    表示手段
３０８    判定しきい値設定手段
３０９    回転操作しきい値設定手段
３１０    位置処理手段
３１１    回転処理手段
【図１】
2005303581.tif 000003
【図２】
2005303581.tif 000004
【図３】
2005303581.tif 000005
【図４】
2005303581.tif 000006
【図５】
2005303581.tif 000007
【図６】
2005303581.tif 000008
【図７】
2005303581.tif 000009
【図８】
2005303581.tif 000010
【図９】
2005303581.tif 000011
【図１０】
2005303581.tif 000012
【図１１】
2005303581.tif 000013
【図１２】
2005303581.tif 000014
【図１３】
2005303581.tif 000015
【図１４】
2005303581.tif 000016
【図１５】
2005303581.tif 000017
【図１６】
2005303581.tif 000018
【図１７】
2005303581.tif 000019
【図１８】
2005303581.tif 000020
【図１９】
2005303581.tif 000021
【図２０】
2005303581.tif 000022
【図２１】
2005303581.tif 000023
【図２２】
2005303581.tif 000024